(57)【要約】【課題】  この発明は、表示むら補正値を容易に生成することができる表示むら補正値生成装置を提供することを目的とする。【解決手段】  表示むら補正対象の表示パネル上に表示された映像を撮像するための撮像手段、ならびに表示パネル上の全て画素を発光させた状態において、表示パネル上に表示された映像を撮像手段によって撮像させ、撮像された映像に基づいて、表示パネルの各発光エリア毎の表示むら補正値を生成する補正値算出手段を備えている。【選択図】  図５
2005316408.tif 000002
【特許請求の範囲】
【請求項１】
表示むら補正対象の表示パネル上に表示された映像を撮像するための撮像手段、ならびに
表示パネル上の全て画素を発光させた状態において、表示パネル上に表示された映像を撮像手段によって撮像させ、撮像された映像に基づいて、表示パネルの各発光エリア毎の表示むら補正値を生成する補正値算出手段、
を備えていることを特徴とする表示むら補正値生成装置。
【請求項２】
補正値算出手段は、
撮像手段によって撮像された映像に基づいて、表示パネルの各発光エリアを抽出する第１手段、
撮像手段によって撮像された映像に基づいて、抽出した各発光エリア毎に輝度値を算出する第２手段、および
算出した各発光エリア毎の輝度値に基づいて、各発光エリア毎の表示むら補正値を算出する第３手段、
を備えていることを特徴とする請求項１に記載の表示むら補正値生成装置。
【請求項３】
第３手段は、任意の発光エリアの発光効率特性と第２手段によって算出された各発光エリア毎の輝度値とに基づいて、各発光エリアのうちの任意の１つの発光エリアを基準発光エリアとし、各発光エリア毎にその発光エリアの発光開始階調レベルと基準発光エリアの発光開始階調レベルとの差に応じた値を、その発光エリアの表示むら補正値として算出するものであることを特徴とする請求項２に記載の表示むら補正値生成装置。
【請求項４】
撮像手段はデジタルカメラであり、補正値算出手段はＰＣによって実現されることを特徴とする請求項１、２および３のいずれかに記載の表示むら補正値生成装置。
【請求項５】
表示むら補正対象の表示パネル上に表示された映像を撮像するための撮像手段、
表示パネル上の全ての画素が、複数のグループに分けられており、各グループ毎に、そのグループに属する画素のみを発光させた状態において、表示パネル上に表示された映像を撮像手段によって撮像させ、撮像された映像に基づいて、そのグループに属する画素に対応する各発光エリアの輝度値を算出する輝度値算出手段、ならびに
輝度値算出手段によって算出された表示パネル上の各画素に対応する発光エリアの輝度値に基づいて、表示パネル上の各画素毎の表示むら補正値を生成する補正値算出手段、  を備えていることを特徴とする表示むら補正値生成装置。                                
【請求項６】
輝度値算出手段は、各グループ毎に、そのグループに属する画素のみを発光させた状態で撮像手段によって撮像された映像に基づいて、そのグループに属する各画素に対応する発光エリアを抽出する第１手段、および
そのグループに属する画素のみを発光させた状態で撮像手段によって撮像された映像に基づいて、第１手段によって抽出されたグループに属する各画素に対応する発光エリアの輝度値を算出する第２手段、
を備えていることを特徴とする請求項５に記載の表示むら補正値生成装置。
【請求項７】
補正値算出手段は、任意の発光エリアの発光効率特性と、輝度値算出手段によって算出された表示パネル上の各画素に対応する発光エリアの輝度値とに基づいて、各発光エリアのうちの任意の１つの発光エリアを基準発光エリアとし、各発光エリア毎にその発光エリアの発光開始階調レベルと基準発光エリアの発光開始階調レベルとの差に応じた値を、その発光エリアの表示むら補正値として算出するものであることを特徴とする請求項５および６のいずれかに記載の表示むら補正値生成装置。
【請求項８】
撮像手段はデジタルカメラであり、輝度値算出手段および補正値算出手段は１台のＰＣによって実現されることを特徴とする請求項５、６および７のいずれかに記載の表示むら補正値生成装置。
【請求項９】
表示パネル上の全ての画素が、奇数行における奇数番目の画素と偶数行における偶数番目の画素とからなる第１グループと、奇数行における偶数番目の画素と偶数行における奇数番目の画素とからなる第２グループとに分けられていることを特徴とする請求項５、６、７および８にいずれかに記載の表示むら補正値生成装置。
【請求項１０】
表示むら補正対象の表示パネル上に表示された映像を撮像するための撮像手段、ならびに
表示パネル上の全て画素を発光させた状態において、表示パネル上の全領域を、複数の撮像エリアであってかつ隣接する撮像エリアの一部が重なるような複数の撮像エリアに分けて、撮像手段によって撮像させ、撮像された各撮像エリアの映像に基づいて、表示パネルの各発光エリア毎の表示むら補正値を生成する補正値算出手段、
を備えていることを特徴とする表示むら補正値生成装置。
【請求項１１】
補正値算出手段は、
各撮像エリア毎に、その撮像エリアの映像に基づいて、その撮像エリア内に存在する表示パネルの各発光エリアの輝度値を算出する第１手段、
各撮像エリア毎に、その撮像エリア内に存在する各発光エリアの平均輝度を算出する第２手段、
第２手段によって算出された各撮像エリア毎の各発光エリアの平均輝度に基づいて、各撮像エリア間での各発光エリアの輝度のばらつきを補正する第３手段、
第３手段によって補正された各撮像エリア毎の各発光エリアの輝度値に基づいて、隣接する撮像エリアの重なり部分にある各発光エリアの輝度値を加重加算法によって求める第４手段、
各撮像エリアのうち隣接する撮像エリアと重複していない領域内の各発光エリアについては、第３手段によって補正された当該発光エリアに対応する輝度値を当該発光エリアの輝度値とし、隣接する撮像エリアの重なり部分にある各発光エリアについては、第４手段によって算出された輝度値を当該発光エリアの輝度値とすることにより、表示パネル上の各輝度値を求める第５手段、ならびに
第５手段によって求められた各発光エリアの輝度値に基づいて、各発光エリア毎の表示むら補正値を算出する第６手段、
を備えていることを特徴とする請求項１０に記載の表示むら補正値生成装置。
【請求項１２】
第６手段は、任意の発光エリアの発光効率特性と第５手段によって求められた各発光エリアの輝度値とに基づいて、各発光エリアのうちの任意の１つの発光エリアを基準発光エリアとし、各発光エリア毎にその発光エリアの発光開始階調レベルと基準発光エリアの発光開始階調レベルとの差に応じた値を、その発光エリアの表示むら補正値として算出するものであることを特徴とする請求項１１に記載の表示むら補正値生成装置。
【請求項１３】
撮像手段はデジタルカメラであり、補正値算出手段はＰＣによって実現されることを特徴とする請求項１０、１１および１２のいずれかに記載の表示むら補正値生成装置。
【請求項１４】
表示むら補正対象の表示パネル上に表示された映像を撮像するための撮像手段、
表示パネル上の全ての画素を一律に任意の階調（輝度測定用階調）で発光させて、表示パネル上に表示された映像を撮像手段に撮像させるといった処理を、複数種類の輝度測定用階調毎に行う第１手段、
各輝度測定用階調毎に、その階調で得られた映像に基づいて、表示パネルの各発光エリアの輝度値を算出する第２手段、
第２手段によって各輝度測定用階調毎に算出された表示パネルの各発光エリアの輝度値に基づいて、各輝度測定用階調毎に各発光エリアの表示むら補正値を算出する第３手段、ならびに
第３手段によって各輝度測定用階調毎に算出された各発光エリアの表示むら補正値に基づいて、各発光エリア毎に、入力階調に対する表示むら補正値を算出するためのパラメータを算出する第４手段、
を備えていることを特徴とする表示むら補正値生成装置。
【請求項１５】
第３手段は、各輝度測定用階調毎に、任意の発光エリアの発光効率特性と第２手段によって求められた各発光エリアの輝度値とに基づいて、各発光エリアのうちの任意の１つの発光エリアを基準発光エリアとし、その輝度測定用階調において、各発光エリアの輝度値が基準発光エリアの輝度値と等しくなるように、各発光エリアの入力階調をシフトさせるためのシフト量を、その発光エリアの表示むら補正値として算出するものであることを特徴とする請求項１４に記載の表示むら補正値生成装置。
【請求項１６】
撮像手段はデジタルカメラであり、第１手段〜第４手段はＰＣによって実現されることを特徴とする請求項１４および１５のいずれかに記載の表示むら補正値生成装置。
【発明の詳細な説明】
【技術分野】
【０００１】
この発明は、有機ＥＬパネル、無機ＥＬパネル、ＰＤＰ等のように、画素毎の発光輝度特性にバラツキがあるような表示パネル、ＬＣＤパネルのように画素毎の透過率特性にバラツキがあるような表示パネルにおける表示むら補正値を生成するための表示むら補正値生成装置に関する。
【背景技術】
【０００２】
有機ＥＬパネル等の表示パネルにおいては、全領域にわたって輝度特性を均一にさせることは現状では困難であり、表示むらの発生が大きな問題となっている。その原因として、表示パネルの製造工程における発光層の膜厚のばらつきなどが挙げられている。
【発明の開示】
【発明が解決しようとする課題】
【０００３】
この発明は、表示むら補正値を容易に生成することができる表示むら補正値生成装置を提供することを目的とする。
【課題を解決するための手段】
【０００４】
請求項１に記載の発明は、表示むら補正対象の表示パネル上に表示された映像を撮像するための撮像手段、ならびに表示パネル上の全て画素を発光させた状態において、表示パネル上に表示された映像を撮像手段によって撮像させ、撮像された映像に基づいて、表示パネルの各発光エリア毎の表示むら補正値を生成する補正値算出手段を備えていることを特徴とする。
【０００５】
請求項２に記載の発明は、請求項１に記載の発明において、補正値算出手段は、撮像手段によって撮像された映像に基づいて、表示パネルの各発光エリアを抽出する第１手段、撮像手段によって撮像された映像に基づいて、抽出した各発光エリア毎に輝度値を算出する第２手段、および算出した各発光エリア毎の輝度値に基づいて、各発光エリア毎の表示むら補正値を算出する第３手段を備えていることを特徴とする。
【０００６】
請求項３に記載の発明は、請求項２に記載の発明において、第３手段は、任意の発光エリアの発光効率特性と第２手段によって算出された各発光エリア毎の輝度値とに基づいて、各発光エリアのうちの任意の１つの発光エリアを基準発光エリアとし、各発光エリア毎にその発光エリアの発光開始階調レベルと基準発光エリアの発光開始階調レベルとの差に応じた値を、その発光エリアの表示むら補正値として算出するものであることを特徴とする。
【０００７】
請求項４に記載の発明は、請求項１乃至３に記載の発明において、撮像手段はデジタルカメラであり、補正値算出手段はＰＣによって実現されることを特徴とする。
【０００８】
請求項５に記載の発明は、表示むら補正対象の表示パネル上に表示された映像を撮像するための撮像手段、表示パネル上の全ての画素が、複数のグループに分けられており、各グループ毎に、そのグループに属する画素のみを発光させた状態において、表示パネル上に表示された映像を撮像手段によって撮像させ、撮像された映像に基づいて、そのグループに属する画素に対応する各発光エリアの輝度値を算出する輝度値算出手段、ならびに輝度値算出手段によって算出された表示パネル上の各画素に対応する発光エリアの輝度値に基づいて、表示パネル上の各画素毎の表示むら補正値を生成する補正値算出手段を備えていることを特徴とする。
【０００９】
請求項６に記載の発明は、請求項５に記載の発明において、輝度値算出手段は、各グループ毎に、そのグループに属する画素のみを発光させた状態で撮像手段によって撮像された映像に基づいて、そのグループに属する各画素に対応する発光エリアを抽出する第１手段、およびそのグループに属する画素のみを発光させた状態で撮像手段によって撮像された映像に基づいて、第１手段によって抽出されたグループに属する各画素に対応する発光エリアの輝度値を算出する第２手段を備えていることを特徴とする。
【００１０】
請求項７に記載の発明は、請求項５乃至６に記載の発明において、補正値算出手段は、任意の発光エリアの発光効率特性と、輝度値算出手段によって算出された表示パネル上の各画素に対応する発光エリアの輝度値とに基づいて、各発光エリアのうちの任意の１つの発光エリアを基準発光エリアとし、各発光エリア毎にその発光エリアの発光開始階調レベルと基準発光エリアの発光開始階調レベルとの差に応じた値を、その発光エリアの表示むら補正値として算出するものであることを特徴とする。
【００１１】
請求項８に記載の発明は、請求項５乃至７に記載の発明において、撮像手段はデジタルカメラであり、輝度値算出手段および補正値算出手段は１台のＰＣによって実現されることを特徴とする。
【００１２】
請求項９に記載の発明は、請求項５乃至８に記載の発明において、表示パネル上の全ての画素が、奇数行における奇数番目の画素と偶数行における偶数番目の画素とからなる第１グループと、奇数行における偶数番目の画素と偶数行における奇数番目の画素とからなる第２グループとに分けられていることを特徴とする。
【００１３】
請求項１０に記載の発明は、表示むら補正対象の表示パネル上に表示された映像を撮像するための撮像手段、ならびに表示パネル上の全て画素を発光させた状態において、表示パネル上の全領域を、複数の撮像エリアであってかつ隣接する撮像エリアの一部が重なるような複数の撮像エリアに分けて、撮像手段によって撮像させ、撮像された各撮像エリアの映像に基づいて、表示パネルの各発光エリア毎の表示むら補正値を生成する補正値算出手段を備えていることを特徴とする。
【００１４】
請求項１１に記載の発明は、請求項１０に記載の発明において、補正値算出手段は、各撮像エリア毎に、その撮像エリアの映像に基づいて、その撮像エリア内に存在する表示パネルの各発光エリアの輝度値を算出する第１手段、各撮像エリア毎に、その撮像エリア内に存在する各発光エリアの平均輝度を算出する第２手段、第２手段によって算出された各撮像エリア毎の各発光エリアの平均輝度に基づいて、各撮像エリア間での各発光エリアの輝度のばらつきを補正する第３手段、第３手段によって補正された各撮像エリア毎の各発光エリアの輝度値に基づいて、隣接する撮像エリアの重なり部分にある各発光エリアの輝度値を加重加算法によって求める第４手段、各撮像エリアのうち隣接する撮像エリアと重複していない領域内の各発光エリアについては、第３手段によって補正された当該発光エリアに対応する輝度値を当該発光エリアの輝度値とし、隣接する撮像エリアの重なり部分にある各発光エリアについては、第４手段によって算出された輝度値を当該発光エリアの輝度値とすることにより、表示パネル上の各輝度値を求める第５手段、ならびに第５手段によって求められた各発光エリアの輝度値に基づいて、各発光エリア毎の表示むら補正値を算出する第６手段を備えていることを特徴とする。
【００１５】
請求項１２に記載の発明は、請求項１１に記載の発明において、第６手段は、任意の発光エリアの発光効率特性と第５手段によって求められた各発光エリアの輝度値とに基づいて、各発光エリアのうちの任意の１つの発光エリアを基準発光エリアとし、各発光エリア毎にその発光エリアの発光開始階調レベルと基準発光エリアの発光開始階調レベルとの差に応じた値を、その発光エリアの表示むら補正値として算出するものであることを特徴とする。
【００１６】
請求項１３に記載の発明は、請求項１０乃至１２に記載の発明において、撮像手段はデジタルカメラであり、補正値算出手段はＰＣによって実現されることを特徴とする。
【００１７】
請求項１４に記載の発明は、表示むら補正対象の表示パネル上に表示された映像を撮像するための撮像手段、表示パネル上の全ての画素を一律に任意の階調（輝度測定用階調）で発光させて、表示パネル上に表示された映像を撮像手段に撮像させるといった処理を、複数種類の輝度測定用階調毎に行う第１手段、各輝度測定用階調毎に、その階調で得られた映像に基づいて、表示パネルの各発光エリアの輝度値を算出する第２手段、第２手段によって各輝度測定用階調毎に算出された表示パネルの各発光エリアの輝度値に基づいて、各輝度測定用階調毎に各発光エリアの表示むら補正値を算出する第３手段、ならびに第３手段によって各輝度測定用階調毎に算出された各発光エリアの表示むら補正値に基づいて、各発光エリア毎に、入力階調に対する表示むら補正値を算出するためのパラメータを算出する第４手段を備えていることを特徴とする。
【００１８】
請求項１５に記載の発明は、請求項１４に記載の発明において、第３手段は、各輝度測定用階調毎に、任意の発光エリアの発光効率特性と第２手段によって求められた各発光エリアの輝度値とに基づいて、各発光エリアのうちの任意の１つの発光エリアを基準発光エリアとし、その輝度測定用階調において、各発光エリアの輝度値が基準発光エリアの輝度値と等しくなるように、各発光エリアの入力階調をシフトさせるためのシフト量を、その発光エリアの表示むら補正値として算出するものであることを特徴とする。
【００１９】
請求項１６に記載の発明は、請求項１４乃至１５に記載の発明において、撮像手段はデジタルカメラであり、第１手段〜第４手段はＰＣによって実現されることを特徴とする。
【発明の効果】
【００２０】
この発明によれば、表示むら補正値を容易に生成することができるようになる。
【発明を実施するための最良の形態】
【００２１】
以下、図面を参照して、この発明の実施例について説明する。
【実施例１】
【００２２】
〔１〕表示むらの補正方法の原理についての説明
以下においては、Ａ／Ｄ変換後の入力映像信号は８ビットであるものとする。また、表示パネルに与えられる電圧を２５６段階で表す値を入力階調レベルということにする。また、Ａ／Ｄ変換後の入力映像信号のレベルを入力映像信号レベルといい、入力階調レベルと区別して使用することにする。
【００２３】
表示パネルの互いに異なる画素ａ、ｂの入力階調レベル−輝度特性が、図１にａ、ｂで示すような特性であるとする。このように、画素によって発光開始電圧Vth が異なると、表示むらが発生する。
【００２４】
画素間の発光効率特性自体は、ほぼ等しいため、両画素の発光開始階調レベルVth の差分ΔVth に応じた値だけ、一方の画素の入力映像信号レベル−輝度特性を水平シフトさせると、両画素ａ、ｂ位置での入力映像信号レベル−輝度特性が等しくなり、表示むらを補正することができる。
【００２５】
例えば、図１の例では、画素ｂに対する入力映像信号にΔVth を加算した値を画素ｂに与えて、画素ｂの入力映像信号レベル−輝度特性をΔVth 分だけ左方向にシフトさせることにより、両画素ａ、ｂでの入力映像信号レベル−輝度特性を等しくすることができる。この場合の、入力映像信号レベル−輝度特性を図２に示す。
【００２６】
ただし、表示パネルは入力階調レベルが”２５５”に対応する輝度より高い輝度は出せないため、最も暗い画素（発光開始階調レベルVth が最も高い画素）の入力階調が”２５５”であるときの輝度を上限として補正する必要がある。上記の例では、補正を行う際には、図１、図２に示すように、最も暗い画素ｂの入力階調が”２５５”であるときの輝度Ｌ（ｂ）を上限とする必要がある。この結果、入力映像信号レベルが（２５５−ΔVth ）より大きなレベルに対する輝度が一定値（Ｌ（ｂ））となり、表現階調がΔVth だけ低下することになる。
【００２７】
そこで、入力映像信号レベルの０〜２５５を、最も暗い画素の入力映像信号に対するシフト処理後の表現階調数に均等に割り振る。上記の例で、ΔVth ＝３０とすると、最も暗い画素の入力映像信号に対するシフト処理後の表現階調数は、２２６段階（０〜２２５）となる。そこで、各画素に対する入力映像信号のレベル範囲０〜２５５を０〜２２５に均等に割り振ってから、シフト処理を行う。
【００２８】
例えば、図３に示すように、表示パネルの互いに異なる画素ａ、ｂ、ｃの入力階調レベル−輝度特性が、図３にａ、ｂ、ｃで示すような特性であるとする。特性ａを基準とした場合、画素ｂの入力映像信号に対するシフト量が１５と決定され、画素ｃの入力映像信号に対するシフト量が３０と決定されたとする。
【００２９】
この場合には、画素ｃの入力信号に対するシフト量が最も大きいので、各画素に対する入力映像信号のレベル範囲０〜２５５を、画素ｃの入力映像信号に対するシフト処理後の表現階調数２２６（０〜２２５）に均等に割り振る。
【００３０】
つまり、入力映像信号に、（２５５−最暗画素に対するシフト量）／２５５を乗算することにより、乗算後の入力映像信号レベルの範囲は０〜２２５となる。これにより、入力映像信号のステップ幅が変更せしめられる。このような処理を入力映像信号のステップ幅変更処理ということにする。そして、乗算後の信号に対してシフト処理を行う。
【００３１】
画素ａについては、シフト量が０であるので、シフト処理後の入力階調レベルの範囲は、０〜２２５となる。一方、画素ｂについては、シフト量が１５であるため、シフト処理後の入力階調レベルの範囲は、１５〜２４０となる。一方、画素ｃについては、シフト量が３０であるため、シフト処理後の入力階調レベルの範囲は、３０〜２５５となる。
【００３２】
したがって、入力映像信号レベル（０〜２５５）に対する輝度特性は、各画素ａ、ｂ、ｃとも図４に実線で示すようになり、表示むらをなくすことができるとともに、図２に比べて高階調側での階調低下が減少する。上記のようなシフト量を補正パラメータということにする。この実施例では、画素単位の発光エリア毎に補正パラメータ（表示むら補正値）が求められる。
【００３３】
〔２〕補正パラメータの生成方法についての説明
【００３４】
図５は、表示パネルの表示むらを補正するための補正パラメータを生成するための装置（表示むら補正値生成装置）の構成を示している。
【００３５】
表示装置１０は、表示パネル１１、駆動回路（表示むら補正回路）１２等を備えている。表示むら補正値生成装置は、表示パネル１１を撮像するためのデジタルカメラ１とデジタルカメラ１によって撮像された画像に基づいて、表示パネル１１の表示むらを補正するための補正パラメータを生成するためのＰＣ２とを備えている。
【００３６】
デジタルカメラ１としては、その画素数は、表示パネル１１の画素数に比べて十分多い画素数を持つものが用いられている。つまり、図６に示すように、デジタルカメラ１の１画素１０１の大きさは、図６の太線の枠１０２で示す表示パネル１１の１画素の大きさより、十分小さい。
【００３７】
図７は、補正パラメータを生成するための処理手順を示している。
【００３８】
まず、表示パネル１１の各画素に対する入力映像信号レベルが同じ値となる任意の入力映像信号を表示装置１０側に入力させて、表示パネル１１に映像を表示させる（ステップＳ１）。この場合、ＰＣ２が入力映像信号を表示装置１０側に与えるようにしてもよい。      
【００３９】
デジタルカメラ１によって表示パネル１１に表示された映像を撮像させて、ＰＣ２側にデジタルカメラ１の撮像データを取得させる（ステップＳ２）。図８は、取得された画像の一例を示している。図８において、１０２が表示パネル１１の画素単位の発光エリアを示している。
【００４０】
ＰＣ２は、取得した撮像データ（画像データ）に対して、レンズ歪補正およびレンズ周辺光量比補正を行う（ステップＳ３）。
【００４１】
ＰＣ２は、補正後の画像データを閾値を用いて２値化することにより、表示パネル１１上の各発光エリア（画素単位）を抽出する（ステップＳ４）。
【００４２】
ＰＣ２は、各発光エリア毎の輝度値を算出する（ステップＳ５）。各発光エリア毎の輝度値としては、発光エリア内の信号最大値、発光エリア内の信号積算値、発光エリア内の信号平均値等が用いられる。各発光エリア毎の輝度値として、発光エリア内の中心領域または信号最大値を中心とした領域内の信号積算値、信号平均値を用いてもよい。
【００４３】
ＰＣ２は、各発光エリア毎の輝度値に基づいて、各発光エリアに対応する補正パラメータを算出する（ステップＳ６）。この処理の詳細については、後述する。
【００４４】
そして、ＰＣ２は、得られた各発光エリア毎の補正パラメータを、表示装置１０内の駆動回路１２に設定する（ステップＳ７）。つまり、駆動回路１２内のＥＥＰＲＯＭ３５（図１２参照）に、各発光エリア毎の補正パラメータVth が格納されるとともに、補正パラメータの最大値がVth MAX として格納される。
【００４５】
図９は、上記ステップＳ６の各発光エリア毎の補正パラメータの算出処理手順を示している。
【００４６】
ここでは、説明の便宜上、図１０に示すように、表示パネル１１上の発光エリアが６つであると仮定した場合について説明する。上記ステップＳ１〜Ｓ５によって、予め定められた階調レベル（以下、輝度測定用階調レベルといい、ここでは、”１２７”に設定されているものとする）である場合の、各発光エリアＡ〜Ｆの輝度値が得られているものとする。つまり、上記ステップＳ１では、入力階調が１２７に相当するレベルの入力映像信号が表示パネル１１の全画素に入力されていたとする。
【００４７】
この例では、上記ステップＳ１〜Ｓ５によって得られた各発光エリアＡ〜Ｆの輝度値ＬA 〜ＬF が、図１１に示すような値であったとする。つまり、ＬA ＝１００、ＬB ＝８０、ＬC ＝７５、ＬD ＝９５、ＬE ＝８０、ＬF ＝７０となっている。最も明るい発光エリア（最明エリア）は発光エリアＡであり、最も暗い発光エリア（最暗エリア）は発光エリアＦである。
【００４８】
発光エリアＡ〜Ｆのうちの任意の発光エリア（基準発光エリア）において、発光効率特性γを算出する（ステップＳ１１）。例えば、発光エリアＡにおいて、発光効率特性γを算出する。この際、発光エリアＡにおいて、複数の階調において輝度値を測定してγ値を算出してもよいし、予め既知のγ値を使用してもよい。
【００４９】
発光エリアＡにおいて、複数の階調において輝度を測定してγ値を算出する際には、次式(1) に基づいて複数の階調毎にγを算出する。そして、たとえば、得られた複数のγの平均値を、発光エリアＡのγとする。
【００５０】
【数１】
2005316408.tif 000003
【００５１】
上記式(1) において、１２７は輝度測定用階調レベルの一例、１００は輝度測定用階調レベルでの輝度、Ｌは輝度、Ｉは入力階調である。
【００５２】
次に、各発光エリアＡ〜Ｆ毎の補正パラメータを算出する（ステップＳ１２）。
【００５３】
Vth(i)、Data(i) 、Level およびγを次のように定義すると、各発光エリアＡ〜Ｆ毎の補正パラメータは、次式(2) に基づいて算出される。
Vth(i)：発光エリアｉの基準発光エリアωからのシフト量( 補正パラメータ) 
Data(i) ：発光エリアｉにおける輝度測定用階調レベルでの輝度値
Data( ω) ：基準発光エリアωにおける輝度測定用階調レベルでの輝度値
Level   ：輝度測定用階調レベル
γ：表示パネルの発光効率特性（定数値）
【００５４】
【数２】
2005316408.tif 000004
【００５５】
ここでは、最明エリア（輝度測定用階調レベルでの測定輝度が最も高い発光エリア）Ａを、基準発光エリアωとする。基準発光エリアを発光エリアＡとし、輝度測定用階調レベルを”１２７”とし、γ＝２とし、各発光エリアＡ〜Ｆにおける輝度測定用階調レベルでの輝度値が図１１に示すような値であるとすると、上記式(2) から、発光エリアＡ〜Ｆそれぞれに対して次式(3) 〜(8) が成り立つ。
【００５６】
【数３】
2005316408.tif 000005
【００５７】
上記式(3) 〜(8) に基づいて、発光エリアＡ〜Ｆにおける基準発光エリアＡからのシフト量Vth(i)が算出される。算出結果は、次の通りである。
【００５８】
Vth (A) ＝０
Vth (B) ＝１３．４
Vth (C) ＝１７．０
Vth (D) ＝３．２
Vth (E) ＝１３．４
Vth (F) ＝２０．７
【００５９】
〔３〕表示装置１０内の駆動回路（表示むら補正回路）１２の構成についての説明
【００６０】
図１２は、表示装置１０内の駆動回路（表示むら補正回路）１２の構成を示している。      
【００６１】
ＥＥＰＲＯＭ３５には、各発光エリアＡ〜Ｆ毎の補正パラメータVth が格納されている。また、ＥＥＰＲＯＭ３５には、補正パラメータの最大値が、Vth MAX として格納されている。補正パラメータの最大値は最暗エリアに対する補正パラメータとなり、上記の例では、Vth MAX ＝Vth (F) ＝２０．７となる。
【００６２】
入力映像信号Yin は、入力映像信号のステップ幅変更処理を行うための乗算器３１、乗算器３１の出力に対してシフト処理を行うための加算器３２および加算器３２の出力をアナログ信号に変換するためのＤＡＣ３３を介して表示パネル（有機ＥＬパネル）１１に送られる。
【００６３】
ゲイン算出部３６には、ＥＥＰＲＯＭ３５から、補正パラメータの最大値Vth MAX が送られている。ゲイン算出部３６は、次式(9) に基づいて、ゲイン（gain) を算出し、算出したゲインを乗算器３１に与えている。
【００６４】
【数４】
2005316408.tif 000006
【００６５】
入力映像信号に含まれている同期信号は、位置情報算出部３４に送られる。位置情報算出部３４は、同期信号に基づいて、現在入力されている映像信号（注目画素の映像信号）の位置情報(xq,yq) を算出する。
【００６６】
位置情報算出部３４によって算出された注目画素の位置情報(xq,yq) は、ＥＥＰＲＯＭ３５に与えられる。ＥＥＰＲＯＭ３５からは、その位置情報(xq,yq) で示される発光エリア( 注目画素) に対応する補正パラメータVth(ｑ) が読み出されて、加算器３２に送られる。
【００６７】
乗算器３１は、入力映像信号Yin にゲイン（gain）を乗算する。乗算器３１の出力は、加算器３２に送られる。加算器３２は、乗算器３１の出力にシフト量Vth(q)を加算する。加算器３２の出力は、ＤＡＣ３３に送られてアナログ信号Youtに変換されて、表示パネル１１に送られる。
【００６８】
上記第１実施例では、デジタルカメラ１とＰＣ２とからなる表示むら補正値生成装置によって、同一仕様の複数の表示パネルに対して、補正パラメータを生成することができるようになる。
【実施例２】
【００６９】
上記第１実施例では、表示むら補正値生成装置によって、同一仕様の複数の表示パネルに対して補正パラメータを生成する際には、図７のステップＳ４に示すように、その都度、閾値を用いて各発光エリアを抽出する必要がある。そこで、第２実施例では、最初に、表示パネルの各発光エリアのパターンに対応したマスク（発光エリア詳細マスク）を作成しておき、そのマスクを利用して表示パネルの各発光エリアを抽出することにより、各発光エリアの抽出をより簡単にできるようにしている。
【００７０】
なお、第２実施例においても、表示むら補正値生成装置は、図５に示すように、デジタルカメラ１とＰＣ２とから構成されている。
【００７１】
図１３は、発光エリア詳細マスクの生成パターンの生成処理手順を示している。
【００７２】
まず、表示パネル１１の各画素に対する入力映像信号レベルが同じ値となる任意の入力映像信号を表示装置１０側に入力させて、表示パネル１１に映像を表示させる（ステップＳ２１）。
【００７３】
デジタルカメラ１によって表示パネル１１に表示された映像を撮像させて、ＰＣ２側にデジタルカメラ１の撮像データを取得させる（ステップＳ２２）。
【００７４】
ＰＣ２は、取得した撮像データ（画像データ）に対して、レンズ歪補正およびレンズ周辺光量比補正を行う（ステップＳ２３）。
【００７５】
ＰＣ２は、補正後の画像データを閾値を用いて２値化することにより、表示パネル１１上の各発光エリア（画素単位）を抽出する（ステップＳ２４）。
【００７６】
そして、ＰＣ２は、各発光エリアのパターンに対応したマスク（発光エリア詳細マスク）を生成する（ステップＳ２５）。例えば、発光エリア詳細マスクは、各発光エリアの中心座標の集合として生成される。
【００７７】
図１４は、発光エリア詳細マスクを利用して補正パラメータを生成する場合の処理手順を示している。
【００７８】
まず、表示パネル１１の各画素に対する入力映像信号レベルが同じ値となる任意の入力映像信号を表示装置１０側に入力させて、表示パネル１１に映像を表示させる（ステップＳ３１）。
【００７９】
デジタルカメラ１によって表示パネル１１に表示された映像を撮像させて、ＰＣ２側にデジタルカメラ１の撮像データを取得させる（ステップＳ３２）。
【００８０】
ＰＣ２は、取得した撮像データ（画像データ）に対して、レンズ歪補正およびレンズ周辺光量比補正を行う（ステップＳ３３）。
【００８１】
ＰＣ２は、補正後の画像データを閾値を用いて２値化することにより、表示パネル１１上の発光エリア（画素単位）のうちの代表点の座標を抽出する（ステップＳ３４）。具体的には、表示パネル１１上の発光エリアのうちの、４隅の発光エリアの中心座標を、代表点の座標として抽出する。
【００８２】
次に、ＰＣ２は、ステップＳ３４で求められた代表点の座標と、発光エリア詳細マスクとを用いて、各発光エリアを抽出する（ステップＳ３５）。具体的には、発光エリア詳細マスクの４隅の発光エリアの中心座標が、ステップＳ３４で求められた４隅の発光エリアの中心座標と合致するように、発光エリア詳細マスクの各発光エリアの中心座標を座標変換することによって、今回取り込んだ画像から各発光エリアを抽出する。
【００８３】
ＰＣ２は、各発光エリア毎の輝度値を算出する（ステップＳ３６）。各発光エリア毎の輝度値としては、発光エリア内の信号最大値、発光エリア内の信号積算値、発光エリア内の信号平均値等が用いられる。
【００８４】
ＰＣ２は、各発光エリア毎の輝度値に基づいて、各発光エリアに対応する補正パラメータを算出する（ステップＳ３７）。
【００８５】
ＰＣ２は、得られた各発光エリア毎の補正パラメータを、表示装置１０内の駆動回路１２に設定する（ステップＳ３８）。
【００８６】
上記第１実施例の補正パラメータ生成方法（図７参照）では、図８に示すように、表示パネル１１の全ての画素を同時に発光させ、全ての画素に対応する発光エリアを一度に抽出し、各発光エリア毎の輝度値を算出している。
【００８７】
しかしながら、図１５（ａ）と図１５（ｂ）とに示すように、表示パネル１１の全ての画素を２つのグループに分けた２種類のパターンを生成し、各パターン毎に画素を発光させて、各パターン毎に画素の輝度値を算出するようにしてもよい。
【００８８】
図１５（ａ）に示すパターン（第１パターン）は、奇数行における奇数番目の画素と偶数行における偶数番目の画素のグループから構成されている。図１５（ｂ）に示すパターン（第２パターン）は、奇数行における偶数番目の画素と偶数行における奇数番目の画素のグループから構成されている。
【００８９】
まず、図１５（ａ）に示す第１パターンの画素のみを発光させて、第１パターンの画素（発光エリア）に対する輝度値を算出する。次に、図１５（ｂ）に示す第２パターンの画素のみを発光させて、第２パターンの画素（発光エリア）に対する輝度値を算出する。このようにして算出された表示パネル上の各画素に対する輝度値に基づいて、各画素の補正パラメータを生成する。
【００９０】
このようにすると、１つの発光エリアに対して隣の発光エリアのデータが混ざりにくくなるため、１つの発光エリアの抽出精度および１つの発光エリアの輝度値の算出精度が高くなるという利点がある。また、デジタルカメラの撮像素子として、低解像度のものを用いることができるようになるという利点がある。
【００９１】
第２実施例においても各パターン毎に画素を発光させるようにしてもよい。つまり、発光エリア詳細マスクを生成する際には、まず、図１５（ａ）に示す第１パターンの画素のみを発光させて、第１パターンの画素群に対する第１発光エリア詳細マスクを生成し、次に図１５（ｂ）に示す第２パターンの画素のみを発光させて、第２パターンの画素群に対する第２発光エリア詳細マスクを生成する。そして、補正パラメータを生成する場合には、先ず、図１５（ａ）に示す第１パターンの画素のみを発光させ、第１発光エリア詳細マスクを利用して、第１パターンの画素に対応する発光エリアを抽出し、抽出した発光エリアの輝度値を算出する。次に、図１５（ｂ）に示す第２パターンの画素のみを発光させ、第２発光エリア詳細マスクを利用して、第２パターンの画素に対応する発光エリアを抽出し、抽出した発光エリアの輝度値を算出する。このようにして算出された表示パネル上の全画素に対する輝度値に基づいて、各画素の補正パラメータを生成する。
【００９２】
なお、表示パネル１１の全ての画素を２つのグループに分けた２種類のパターンとして、次のようなパターンを用いてもよい。
（ａ）奇数行の画素のグループからなる第１パターンと、偶数行の画素のクループからなる第２パターン。
（ｂ）各行の奇数番目の画素からなる第１パターンと、各行の偶数番目の画素からなる第２パターン。
【００９３】
また、Ｒ画素のみからなる第１パターンと、Ｇ画素のみからなる第２パターンと、Ｂ画素のみからなる第３パターンとの３つのパターンに分けてもよい。
【００９４】
ところで、図１６に示すように、画素ａ、ｂのトランジスタの電圧−電流特性が、ａ、ｂで示すような特性である場合には、補正量はVth となる。図１７に示すように、低めの白側リファレンス電圧VR1 で補正量Vth を算出した後に、調整輝度を上げるために白側リファレンス電圧を増加してVR2 にした場合、ＤＡＣ３３によるデジタル−アナログ変換後においては補正量Vth も増大してしまう。
【００９５】
しかしながら、図１６に示すように、画素ａ、ｂのトランジスタの特性の差Vth は、白側リファレンス電圧にかかわらず、ほぼ一定であるため、補正量を予め小さくしておく必要がある。
【００９６】
つまり、補正量を算出した場合の白側リファレンス電圧をVR1 、補正量をVth1、輝度調整後の白側リファレンス電圧をVR2 とすると、輝度調整後の補正量Vth2を、次式（１０）によって補正する。
【００９７】
Vth2＝  （VR1 ／VR2 ）×Vth1    …（１０）
【実施例３】
【００９８】
上記第１実施例および第２実施例では、表示パネル１１の各発光エリアの輝度値を算出するために、デジタルカメラ１による１回の撮影により、表示パネル１１全体を撮影している。しかしながら、デジタルカメラ１によっては、表示パネル１１全体を１回で撮影することができない場合がある。このような場合には、表示パネル１１上の全領域を、複数の撮像エリアであってかつ隣接する撮像エリアの一部が重なるような複数の撮像エリアに分けて、デジタルカメラ１によって撮像する。そして、撮像された各撮像エリアの映像に基づいて、表示パネル１１の各発光エリアの輝度値を算出する。
【００９９】
ここでは、図１８に示すように、表示パネル１１上の全領域を左右の２つの撮像エリアＡ、Ｂに分けて撮像する場合について説明する。この場合には、デジタルカメラ１を固定しておき、まず、撮像エリアＡを撮像する。そして、表示パネル１１を左方向にスライドさせた後、撮像エリアＢを撮像する。なお、撮像エリアＢを撮像した後に、撮像エリアＡを撮像してもよい。
【０１００】
このように、表示パネル１１を複数回に分けて撮影した場合には、デジタルカメラ１の向きのずれ等により、各撮影画像間において輝度のばらつきが発生することがある。そこで、各撮影画像間における輝度のばらつきを補正する必要がある。
【０１０１】
図１９は、表示パネル１１上の全領域を左右の２つの撮像エリアＡ、Ｂに分けて撮像し、それらの撮像画像から補正パラメータを生成するための処理手順を示している。なお、表示むら補正値生成装置の構成は、図５に示すものと同じである。
【０１０２】
まず、表示パネル１１の各画素に対する入力映像信号レベルが同じ値となる任意の入力映像信号を表示装置１０側に入力させて、表示パネル１１に映像を表示させる（ステップＳ４１）。この場合、ＰＣ２が入力映像信号を表示装置１０側に与えるようにしてもよい。
【０１０３】
デジタルカメラ１によって表示パネル１１に表示された映像を撮像させて、ＰＣ２側にデジタルカメラ１の撮像データを取得させる（ステップＳ４２）。ただし、図１８に示すように、１回目の撮影時には撮像エリアＡが撮像され、２回目の撮影時には撮像エリアＢが撮像される。
【０１０４】
ＰＣ２は、取得した撮像データ（画像データ）に対して、レンズ歪補正およびレンズ周辺光量比補正を行う（ステップＳ４３）。
【０１０５】
ＰＣ２は、補正後の画像データを閾値を用いて２値化することにより、表示パネル１１上の各発光エリア（画素単位）を抽出する（ステップＳ４４）。
【０１０６】
ＰＣ２は、各発光エリア毎の輝度値を算出する（ステップＳ４５）。各発光エリア毎の輝度値としては、発光エリア内の信号最大値、発光エリア内の信号積算値、発光エリア内の信号平均値等が用いられる。各発光エリア毎の輝度値として、発光エリア内の中心領域または信号最大値を中心とした領域内の信号積算値、信号平均値を用いてもよい。
【０１０７】
そして、２回の撮影が終了したか否かを判別する（ステップＳ４６）。２回の撮影が終了してない場合には、表示パネル１１またはカメラ１を移動させた後、ステップＳ４１に戻る。そして、ステップＳ４１〜Ｓ４５の処理が行われる。これにより、図１８に示すように、１回目の撮像画像に基づいて求められた撮像エリアＡ内の各発光エリア毎の輝度値と、２回目の撮像画像に基づいて求められた撮像エリアＢ内の各発光エリア毎の輝度値とが得られる。この後のステップＳ４６では、ＹＥＳとなるので、ステップＳ４７に移行する。
【０１０８】
ステップＳ４７では、撮像エリアＡ内の発光エリアの平均輝度（以下、第１平均輝度という）と、撮像エリアＢ内の発光エリアの平均輝度（以下、第２平均輝度という）とを算出する。なお、撮像エリアＡ内の撮像エリアＢとの重なり部分における発光エリアの平均輝度を第１平均輝度として算出し、撮像エリアＢ内の撮像エリアＡとの重なり部分における発光エリアの平均輝度を第２平均輝度として算出するようにしてもよい。
【０１０９】
次に、第１平均輝度と第２平均輝度とが、同一となるように、撮像エリアＡおよび撮像エリアＢのうちの一方の発光エリアの輝度を補正する（ステップＳ４８）。例えば、第２平均輝度が第１平均輝度よりΔだけ高い場合には、撮像エリアＢ内の各発光エリアの輝度値をΔだけ小さくする。このようにして得られた補正後の撮像エリアＡ内の各発光エリアの輝度値をＬＡ（ｘ，ｙ）とし、補正後の撮像エリアＢ内の各発光エリアの輝度値をＬＢ（ｘ，ｙ）とする。なお、（ｘ，ｙ）は位置を表している。
【０１１０】
次に、撮像エリアＡ内の各発光エリアの補正後の輝度値と、撮像エリアＢ内の各発光エリアの補正後の輝度値とを用いて、表示パネル１１内の各発光エリアの輝度値を求める（ステップＳ４９）。つまり、図２０に示すような水平方向位置ｘに対する加重加算係数ＫＡ（ｘ）、ＫＢ（ｘ）とを用いて、表示パネル１１内の各発光エリアの輝度値を補正する。つまり、水平方向位置ｘにある発光エリアの輝度値Ｌ（ｘ，ｙ）は、次式（１１）によって補正される。
【０１１１】
Ｌ’（ｘ，ｙ）＝ＫＡ（ｘ）×ＬＡ（ｘ，ｙ）＋ＫＢ（ｘ）×ＬＢ（ｘ，ｙ）…（１１）      
【０１１２】
Ｐ１〜Ｐ３を撮像エリアＡの領域とし、Ｐ２〜Ｐ４を撮像エリアＢとすると、上記（１１）式は、次式（１２）で表される。
【０１１３】
Ｐ１≦ｘ≦Ｐ２の場合
Ｌ’（ｘ，ｙ）＝ＬＡ（ｘ，ｙ）
Ｐ２＜ｘ＜Ｐ３の場合
Ｌ’（ｘ，ｙ）＝ＫＡ×ＬＡ（ｘ，ｙ）＋ＫＢ（ｘ）×ＬＢ（ｘ，ｙ）
Ｐ３≦ｘ≦Ｐ４の場合
Ｌ’（ｘ，ｙ）＝ＬＢ（ｘ，ｙ）                      …（１２）
【０１１４】
このようにして求められた各発光エリアの輝度値Ｌ’（ｘ，ｙ）に基づいて、各発光エリア毎の補正パラメータを算出する（ステップＳ５０）。この処理は図７のステップＳ６と同じなので、その説明を省略する。
【０１１５】
そして、ＰＣ２は、得られた各発光エリア毎の補正パラメータを、表示装置１０内の駆動回路１２に設定する（ステップＳ５１）。この処理は図７のステップＳ７と同じなので、その説明を省略する。
【０１１６】
なお、上記ステップＳ４７において、各水平ライン毎に、撮像エリアＡ内の発光エリアの平均輝度（第１平均輝度）と、撮像エリアＢ内の発光エリアの平均輝度（第２平均輝度）とを算出し、上記ステップＳ４８において、各水平ライン毎に、第１平均輝度と第２平均輝度とが、同一となるように、撮像エリアＡおよび撮像エリアＢのうちの一方の発光エリアの輝度を補正するようにしてもよい。
【０１１７】
また、上記ステップＳ４７において、各水平ライン毎に、撮像エリアＡ内の撮像エリアＢとの重なり部分における発光エリアの平均輝度（第１平均輝度）と、撮像エリアＢ内の撮像エリアＡとの重なり部分発光エリアの平均輝度（第２平均輝度）とを算出し、上記ステップＳ４８において、各水平ライン毎に、第１平均輝度と第２平均輝度とが、同一となるように、撮像エリアＡおよび撮像エリアＢのうちの一方の発光エリアの輝度を補正するようにしてもよい。
【実施例４】
【０１１８】
上記第１〜第３実施例では、図２１に直線Ｓ１で示すように、補正パラメータＶｔｈは入力階調レベルにかかわらず一定としているが、図１に示す特性ａと特性ｂとの間のΔＶｔｈは、実際には入力階調レベルが高いほど大きくなる場合もある。この場合、補正パラメータＶｔｈも、図２１の直線Ｓ２または折れ線Ｓ３で示すように、入力階調レベルが高いほど大きくなるようにすることが好ましい。
【０１１９】
図２２は、入力階調レベルによって変化する補正パラメータVth を算出するための補正係数を求めるための処理手順を示している。なお、表示むら補正値生成装置の構成は、図５に示すものと同じである。
【０１２０】
まず、表示パネル１１の各画素に対する入力映像信号レベルが同じ値となる第１の輝度測定用階調Ｉａの入力映像信号を表示装置１０側に入力させて、表示パネル１１に映像を表示させる（ステップＳ６１）。第１の輝度測定用階調は、例えば２５５に設定される。この場合、ＰＣ２が入力映像信号を表示装置１０側に与えるようにしてもよい。
【０１２１】
デジタルカメラ１によって表示パネル１１に表示された映像を撮像させて、ＰＣ２側にデジタルカメラ１の撮像データを取得させる（ステップＳ６２）。
【０１２２】
ＰＣ２は、取得した撮像データ（画像データ）に対して、レンズ歪補正およびレンズ周辺光量比補正を行う（ステップＳ６３）。
【０１２３】
ＰＣ２は、補正後の画像データを閾値を用いて２値化することにより、表示パネル１１上の各発光エリア（画素単位）を抽出する（ステップＳ６４）。
【０１２４】
ＰＣ２は、各発光エリア毎の輝度値を算出する（ステップＳ６５）。各発光エリア毎の輝度値としては、発光エリア内の信号最大値、発光エリア内の信号積算値、発光エリア内の信号平均値等が用いられる。各発光エリア毎の輝度値として、発光エリア内の中心領域または信号最大値を中心とした領域内の信号積算値、信号平均値を用いてもよい。
【０１２５】
ＰＣ２は、各発光エリア毎の輝度値に基づいて、各発光エリアに対応する補正パラメータを算出する（ステップＳ６６）。この処理は図７のステップＳ６と同じなのでその説明を省略する。
【０１２６】
次に、２種類の輝度測定用階調での測定が終了したか否かを判別する（ステップＳ６７）。２種類の輝度測定用階調での測定が終了していない場合には、表示パネル１１の各画素に対する入力映像信号レベルが同じ値となる第２の輝度測定用階調Ｉｂ（例えば、１２７階調）の入力映像信号を表示装置１０側に入力させて、表示パネル１１に映像を表示させる（ステップＳ６８）。そして、ステップＳ６２に戻り、ステップＳ６２〜Ｓ６６の処理を行う。これにより、第１の階調Ｉａでの各発光エリアに対応する補正パラメータａ（ｑ）と、第２の階調Ｉｂでの各発光エリアに対応する補正パラメータｂ（ｑ）とが得られる。なお、ｑは、発光エリアの位置を表している。そして、ステップＳ６７でＹＥＳとなるので、ステップＳ６９に移行する。
【０１２７】
ステップＳ６９では、第１の階調Ｉａでの各発光エリアに対応する補正パラメータａ（ｑ）と、第２の階調Ｉｂでの各発光エリアに対応する補正パラメータｂ（ｑ）とに基づいて、次式（１３）により、各発光エリアに対応する補正係数Ａ（ｑ）、Ｂ（ｑ）が求められる。
【０１２８】
Ａ（ｑ）＝ａ（ｑ）                                                              Ｂ（ｑ）＝｛ａ（ｑ）−ｂ（ｑ）｝／（Ｉａ−Ｉｂ）      …（１３）
【０１２９】
なお、任意階調Yin での補正量Vth(q)は、次式（１４）によって求められることになる。
【０１３０】
Vth(q)＝A(q)−｛B(q)×（補正パラメータa(q)を求めた輝度測定用階調−Yin ）｝…(14)      
【０１３１】
ＰＣ２は、得られた各発光エリア毎の補正係数Ａ（ｑ）、Ｂ（ｑ）を、表示装置１０内の駆動回路１２に設定する（ステップＳ７０）。つまり、駆動回路１２内のＥＥＰＲＯＭ３７（図２３参照）に、各発光エリア毎の補正係数Ａ（ｑ）、Ｂ（ｑ）が格納されるとともに、補正パラメータの最大値がVth MAX として格納される。第１の輝度測定用階調が２５５であるとすると、補正パラメータの最大値は、補正係数Ａ（ｑ）の最大値となる。なお、補正係数Ｂ（ｑ）については、パネル全体のＢ（ｑ）の平均値を１つだけＥＥＰＲＯＭ３７に格納するようにしてもよい。
【０１３２】
図２３は、表示装置１０内の駆動回路（表示むら補正回路）１２の構成を示している。図２３において、図１２と同じものには、同じ符号を付している。
【０１３３】
ＥＥＰＲＯＭ３７には、各発光エリア毎の補正係数Ａ（ｑ）、Ｂ（ｑ）が格納されている。また、ＥＥＰＲＯＭ３７には、補正パメータの最大値（第１の階調が２５５である場合には、補正係数Ａ（ｑ）の最大値）が、Vth MAX として格納されている。以下、第１の階調が２５５であるとして、説明する。
【０１３４】
入力映像信号Yin は、入力映像信号のステップ幅変更処理を行うための乗算器３１、乗算器３１の出力に対してシフト処理を行うための加算器３２および加算器３２の出力をアナログ信号に変換するためのＤＡＣ３３を介して表示パネル（有機ＥＬパネル）１１に送られる。入力映像信号Yin は、補正量算出部３８にも送られる。
【０１３５】
ゲイン算出部３６には、ＥＥＰＲＯＭ３７から、補正パラメータの最大値Vth MAX が送られている。ゲイン算出部３６は、次式（１５）に基づいて、ゲイン（gain) を算出し、算出したゲインを乗算器３１に与えている。
【０１３６】
【数５】
2005316408.tif 000007
【０１３７】
入力映像信号に含まれている同期信号は、位置情報算出部３４に送られる。位置情報算出部３４は、同期信号に基づいて、現在入力されている映像信号（注目画素の映像信号）の位置情報(xq,yq) を算出する。
【０１３８】
位置情報算出部３４によって算出された注目画素の位置情報(xq,yq) は、ＥＥＰＲＯＭ３７に与えられる。ＥＥＰＲＯＭ３７からは、その位置情報(xq,yq) で示される発光エリア( 注目画素) に対応する補正係数Ａ（ｑ) 、Ｂ（ｑ) が読み出されて、補正量算出部３８に送られる。
【０１３９】
補正量算出部３８は、次式（１６）に基づいて、当該発光エリア( 注目画素) に対応する補正量Ｖｔｈ（ｑ）を算出する。
【０１４０】
Ｖｔｈ（ｑ）＝Ａ（ｑ）−｛Ｂ（ｑ）×（２５５−Yin ）｝  …（１６）
【０１４１】
補正量算出部３８によって算出された補正量Ｖｔｈ（ｑ）は、加算器３２に与えられる。
【０１４２】
乗算器３１は、入力映像信号Yin にゲイン（gain）を乗算する。乗算器３１の出力は、加算器３２に送られる。加算器３２は、乗算器３１の出力にシフト量Vth(q)を加算する。加算器３２の出力は、ＤＡＣ３３に送られてアナログ信号Youtに変換されて、表示パネル１１に送られる。
【０１４３】
上記第４実施例では、任意の２種類の輝度測定用階調での補正パラメータから、入力階調によって変化する補正量を求めるようにしているが、任意の３種類以上の輝度測定用階調での補正パラメータから入力階調によって変化する補正量を算出するようにしてもよい。
【０１４４】
例えば、任意の３種類の輝度測定用階調での補正パラメータから、入力階調によって変化する補正量を求める場合には、図２２と同様な処理により、任意の３階調での各発光エリアに対応する補正パラメータａ（ｑ）、ｂ（ｑ）、ｃ（ｑ）を求める。
【０１４５】
最も大きな階調での補正パラメータがａ（ｑ）、中間の階調での補正パラメータがｂ（ｑ）、最も小さな階調での補正パラメータがｃ（ｑ）であるとすると、ｂ（ｑ）とｃ（ｑ）とから、上記式（１３）と同様な算出方法でＡ１（ｑ）、Ｂ１（ｑ）を算出し、ａ（ｑ）とｂ（ｑ）とから、上記式（１３）と同様な算出方法でＡ２（ｑ）、Ｂ２（ｑ）を算出する。
【０１４６】
そして、入力階調がｂ（ｑ）を求めた階調以下では、Ａ１（ｑ）およびＢ１（ｑ）に基づいて、補正量Ｖｔｈ（ｑ）を算出し、入力階調がｂ（ｑ）を求めた階調以上では、Ａ２（ｑ）およびＢ２（ｑ）に基づいて、補正量Ｖｔｈ（ｑ）を算出する。
【図面の簡単な説明】
【０１４７】
【図１】画素ａ、ｂの入力階調レベル−輝度特性を示すグラフである。
【図２】画素ｂに対する入力映像信号にΔVth を加算した値を画素ｂに与えて、画素ｂの入力映像信号レベル−輝度特性をΔVth 分だけ左方向にシフトさせた場合の、入力映像信号レベル−輝度特性を示すグラフである。
【図３】画素ａ、ｂ，ｃの入力階調レベル−輝度特性を示すグラフである。
【図４】入力映像信号のステップ幅変更処理を行った後にシフト処理を行った場合の、入力映像信号レベル−輝度特性を示すグラフである。
【図５】表示むら補正値生成装置の構成を示すブロック図である。ている。
【図６】デジタルカメラ１の１画素１０１の大きさと、表示パネル１１の１画素１０２の大きさとを示す模式図である。
【図７】補正パラメータを生成するための処理手順を示すフローチャートである。
【図８】デジタルカメラによって撮像された画像例を示す模式図である。
【図９】図７のステップＳ６の各発光エリア毎の補正パラメータの算出処理手順を示すフローチャートである。
【図１０】表示パネル上の発光エリアが６個であると仮定した場合の、各発光エリアを示す模式図である。
【図１１】各発光エリアＡ〜Ｆの輝度値ＬA 〜ＬF を示す模式図である。
【図１２】表示装置１０内の駆動回路（表示むら補正回路）１２の構成を示すブロック図である。
【図１３】発光エリア詳細マスクの生成パターンの生成処理手順を示すフローチャートである。
【図１４】発光エリア詳細マスクを利用して補正パラメータを生成する場合の処理手順を示すフローチャートである。
【図１５】表示パネル１１の全ての画素を２つのグループに分けた２種類のパターンを示す模式図である。
【図１６】画素ａ、ｂのトランジスタの電圧−電流特性を示すグラフである。
【図１７】低めの白側リファレンス電圧VR1 で補正量Vth を算出した後に、調整輝度を上げるために白側リファレンス電圧を増加してVR2 にした場合、ＤＡＣ３３によるデジタル−アナログ変換後においては補正量Vth も増大することを示す模式図である。
【図１８】表示パネル１１上の全領域を左右の２つの撮像エリアＡ、Ｂに分けて撮像する場合を説明するための模式図である。
【図１９】表示パネル１１上の全領域を左右の２つの撮像エリアＡ、Ｂに分けて撮像し、それらの撮像画像から補正パラメータを生成するための処理手順を示すフローチャートである。
【図２０】加重加算係数ＫＡ（ｘ）、ＫＢ（ｘ）を示すグラフである。
【図２１】入力階調レベルによって変化する補正パラメータを示すグラフである。
【図２２】入力階調レベルによって変化する補正パラメータVth を算出するための補正係数を求めるための処理手順を示すフローチャートである。
【図２３】表示装置１０内の駆動回路（表示むら補正回路）１２の構成を示すブロック図である。
【符号の説明】
【０１４８】
１  デジタルカメラ
２  ＰＣ
１０  表示装置
１１  表示パネル
１２  駆動回路（表示むら補正回路）
【図１】
2005316408.tif 000008
【図２】
2005316408.tif 000009
【図３】
2005316408.tif 000010
【図４】
2005316408.tif 000011
【図５】
2005316408.tif 000012
【図６】
2005316408.tif 000013
【図７】
2005316408.tif 000014
【図８】
2005316408.tif 000015
【図９】
2005316408.tif 000016
【図１０】
2005316408.tif 000017
【図１１】
2005316408.tif 000018
【図１２】
2005316408.tif 000019
【図１３】
2005316408.tif 000020
【図１４】
2005316408.tif 000021
【図１５】
2005316408.tif 000022
【図１６】
2005316408.tif 000023
【図１７】
2005316408.tif 000024
【図１８】
2005316408.tif 000025
【図１９】
2005316408.tif 000026
【図２０】
2005316408.tif 000027
【図２１】
2005316408.tif 000028
【図２２】
2005316408.tif 000029
【図２３】
2005316408.tif 000030